(57)【要約】【課題】無線ＩＣカード処理に関して構造を簡略化することができ、さらにセキュリティー度を損なうことなく処理を行うことができる。【解決手段】専用の無線ＩＣカード用のポケットを用意し、このポケットに利用客が挿入した無線ＩＣカードに対して、積み増し処理、利用履歴印刷処理を行うものである。【選択図】      図１
2006099458.tif 000002
【特許請求の範囲】
【請求項１】
利用可能金額が記憶されている無線ＩＣカードを差し込むポケットと、
上記無線ＩＣカードへの積み増し金額を設定する設定手段と、
この設定手段による積み増し金額の入金を行う入金手段と、
この入金手段による入金が行われた際に、上記ポケットに差し込まれた無線ＩＣカードとの無線通信により、上記無線ＩＣカードに対して上記積み増し金額の積み増し処理を実行する実行手段と、
を具備したことを特徴とする無線ＩＣカード積み増し機。
【請求項２】
上記入金手段による入金が、現金により行われることを特徴とする請求項１に記載の無線ＩＣカード積み増し機。
【請求項３】
上記入金手段による入金が、取引口座からの支払い処理により行われることを特徴とする請求項１に記載の無線ＩＣカード積み増し機。
【請求項４】
利用可能金額と利用履歴とが記憶されている無線ＩＣカードを差し込むポケットと、
上記無線ＩＣカードの利用履歴の出力を指示する指示手段と、
この指示手段による指示に基づいて、上記ポケットに差し込まれた無線ＩＣカードとの無線通信により、上記無線ＩＣカードから供給される利用履歴を出力する出力手段と、
を具備したことを特徴とする無線ＩＣカード処理機。
【請求項５】
利用可能金額と利用履歴とが記憶されている無線ＩＣカードを差し込むポケットと、
上記無線ＩＣカードへの積み増し金額を設定する設定手段と、
この設定手段による積み増し金額の入金を行う入金手段と、
この入金手段による入金が行われた際に、上記ポケットに差し込まれた無線ＩＣカードとの無線通信により、上記無線ＩＣカードに対して上記積み増し金額の積み増し処理を実行する実行手段と、
上記無線ＩＣカードの利用履歴の出力を指示する指示手段と、
この指示手段による指示に基づいて、上記ポケットに差し込まれた無線ＩＣカードとの無線通信により、上記無線ＩＣカードから供給される利用履歴を出力する出力手段と、
を具備したことを特徴とする無線ＩＣカード積み増し機。
【請求項６】
利用可能金額が記憶されている無線ＩＣカードを差し込むポケットと、
上記無線ＩＣカードへの積み増し金額を設定する設定手段と、
この設定手段による積み増し金額の入金を行う入金手段と、
この入金手段による入金が行われた際に、上記ポケットに差し込まれた無線ＩＣカードとの無線通信により、機密データに基づいて、上記無線ＩＣカードに対して上記積み増し金額の積み増し処理を実行する実行手段と、
この機器の扉のこじ開けを検知する検知手段と、
この検知手段により扉のこじ開けを検知した際に、上記機密データを消去する消去手段と、
を具備したことを特徴とする無線ＩＣカード積み増し機。
【発明の詳細な説明】
【技術分野】
【０００１】
本発明は、利用客が、自分が所有する無線ＩＣカードに金額チャージする場合に利用する無線ＩＣカード専用積み増し機と無線ＩＣカード処理機に関する。
【背景技術】
【０００２】
本装置は、無線ＩＣカード用の自動積み増し機として、駅係員ではなく、利用者本人（エンドユーザ）が操作することにより、無線ＩＣカードへの積み増しを可能とするものである。また、従来の磁気カードへの残額印字による利用履歴表示の代わりに、券売機にジャーナル用紙出力装置を取り付け、利用者自身が無線ＩＣカード利用履歴を確認したい場合には、この機能により確認できるようになっている。この利用履歴の確認は、自動積み増し機単体で行うものでは無く、センターサーバへオンライン接続することにより情報を照会し、その結果を通知するものであるため、無線ＩＣカードが保有している情報をそのまま表示あるいは印字するものではない。
【０００３】
従来、無線ＩＣカードへの積み増しを行う場合、従来の装置としては、２通りの方法があり、一つは、駅係員対応の窓口へエンドユーザが出向き、窓口で無線ＩＣカードへの積み増しを申し出て行う方法であり、もう一つは、券売機にその機能を持たせたものをエンドユーザが直接操作することで無線ＩＣカードへの積み増しを行うものである。前者での問題点としては、駅窓口が混雑をしていた場合、積み増し処理希望者への対応が迅速に行えないことと、窓口対応とのことで、積み増し希望のエンドユーザが頻繁に窓口に来る場合、その対応処理で窓口が繁忙となることである。また、窓口で処理を行ってきている磁気券の対応に追加して無線ＩＣカードの対応をすることになるため、窓口内の限られたスペースに機器を設置し、またそれを使用することは、困難な状況である。また後者での問題点としては、従来の磁気券の処理にさらに無線ＩＣカードの処理を追加するため、エンドユーザが操作する手順が複雑になり、操作性が低下する結果となってしまう。また、操作性が低下することにより、１人当たりの処理時間が増え、自動機本来の処理能力を発揮できる状況に無い結果となってしまう。また、無線ＩＣカードの積み増し処理を行う目的で無い人が、これら無線ＩＣカード利用者と同じ列に並び磁気券の購入等を行う必要が出てくる。そのため、無線ＩＣカード対応がされた券売機とした場合、様々な使用目的を持った利用客がおとづれ、その全ての対応をとることが必要であるため、効率的な処理を実現し辛くなる。
【０００４】
また、券売機タイプの無線ＩＣカード対応の場合、無線ＩＣカード自体を券売機内部へ取り込む必要があったため、そのための搬送装置を持つ必要があり、その構造が複雑になることから、装置自身としての信頼性の低減の原因となっていた。また、カードの取り込みを行うため、カード表面の汚れ、濡れ、ソリ等、カード状態により処理そのものができない可能性もあり、カード所有者のカード保存状態が悪いと、それが原因となり、処理信頼性の低減につながる結果ともなる。
【特許文献１】特開平６−１１９５０２号公報
【発明の開示】
【発明が解決しようとする課題】
【０００５】
この発明は、今後様々な場面で使用が増えると思われる無線ＩＣカード処理に関して構造を簡略化することができ、さらにセキュリティー度を損なうことなく処理を行うことができる無線ＩＣカード専用積み増し機と無線ＩＣカード処理機を提供することを目的とする。
【課題を解決するための手段】
【０００６】
この発明は、利用可能金額が記憶されている無線ＩＣカードを差し込むポケットと、上記無線ＩＣカードへの積み増し金額を設定する設定手段と、この設定手段による積み増し金額の入金を行う入金手段と、この入金手段による入金が行われた際に、上記ポケットに差し込まれた無線ＩＣカードとの無線通信により、上記無線ＩＣカードに対して上記積み増し金額の積み増し処理を実行する実行手段とから構成される。
【０００７】
この発明は、利用可能金額と利用履歴とが記憶されている無線ＩＣカードを差し込むポケットと、上記無線ＩＣカードの利用履歴の出力を指示する指示手段と、この指示手段による指示に基づいて、上記ポケットに差し込まれた無線ＩＣカードとの無線通信により、上記無線ＩＣカードから供給される利用履歴を出力する出力手段とから構成される。
【０００８】
この発明は、利用可能金額と利用履歴とが記憶されている無線ＩＣカードを差し込むポケットと、上記無線ＩＣカードへの積み増し金額を設定する設定手段と、この設定手段による積み増し金額の入金を行う入金手段と、この入金手段による入金が行われた際に、上記ポケットに差し込まれた無線ＩＣカードとの無線通信により、上記無線ＩＣカードに対して上記積み増し金額の積み増し処理を実行する実行手段と、上記無線ＩＣカードの利用履歴の出力を指示する指示手段と、この指示手段による指示に基づいて、上記ポケットに差し込まれた無線ＩＣカードとの無線通信により、上記無線ＩＣカードから供給される利用履歴を出力する出力手段とから構成される。
【０００９】
この発明は、利用可能金額が記憶されている無線ＩＣカードを差し込むポケットと、上記無線ＩＣカードへの積み増し金額を設定する設定手段と、この設定手段による積み増し金額の入金を行う入金手段と、この入金手段による入金が行われた際に、上記ポケットに差し込まれた無線ＩＣカードとの無線通信により、機密データに基づいて、上記無線ＩＣカードに対して上記積み増し金額の積み増し処理を実行する実行手段と、この機器の扉のこじ開けを検知する検知手段と、この検知手段により扉のこじ開けを検知した際に、上記機密データを消去する消去手段とから構成される。
【発明の効果】
【００１０】
本発明は、先述の問題点を解決し、今後様々な場面で使用が増えると思われる無線ＩＣカード処理に関して構造を簡略化することができ、さらにセキュリティー度を損なうことなく処理を行うことができる無線ＩＣカード専用積み増し機と無線ＩＣカード処理機を提供できる。
【発明を実施するための最良の形態】
【００１１】
以下、この発明の一実施形態について図面を参照して説明する。
【００１２】
図１、図２は、この発明の無線ＩＣカードの専用積み増し機１の外観を示す図である。
【００１３】
この無線ＩＣカードの専用積み増し機（積み増し機）１は機器全体が筐体２に収納されている。筐体２の前面の接客面２ａには、取引内容の表示画面を表示する客用表示部３、積み増し金額を指定する客用操作釦（金額釦）４、取消釦５、呼出釦６、印刷釦７、紙幣を投入するとともに、紙幣が排出される紙幣投入口８、積み増し処理に対するレシート（履歴が印刷された用紙、証明書が印刷された用紙）が発行されるレシート発行口９、無線ＩＣカードＣ専用のカードポケット１０がそれぞれ設けられている。このカードポケット１０には、無線ＩＣカードＣが差し込まれたことを検知するセンサ１０ａと無線処理中に無線ＩＣカードＣが引き抜かれないようにロックするロック機構１０ｂを有している。
【００１４】
また、上記積み増し機１の接客面には、人間検知器（近接センサ）１１が設けられ、接客面の前、つまり積み増し機１の前に人がいるか否かを検知するものである。
【００１５】
また、上記積み増し機１の接客面には、ブザー孔１２が設けられ、ブザー孔１２の位置に内蔵されたブザー１３により、警報を発生するものである。
【００１６】
また、図３に示すように、上記積み増し機１の筐体２の後面の係員面２ｂには、駅係員が装置の状態を把握するために使用する係員パネル１６等が設けられている。また、筐体２の後面の上部は扉１４となっており、扉１４の内側にこじ開け検知器１５が内蔵されている。
【００１７】
図４は上記積み増し機１の内部構成を示すものである。
【００１８】
すなわち、上記積み増し機１は、紙幣投入口８からの紙幣を扱う紙幣処理ユニットとしてのビルメカ（紙幣メカ）２１、レシート発行口９から発行されるレシート等にプリント処理を行うプリンタ２２、カードポケット１０に差し込まれた無線ＩＣカードＣを扱うカード処理ユニット２３、客用表示部３、表示操作処理ユニット２４、上記各部を制御する制御部２５、上記各部に電源電圧を供給する電源部２６により構成されている。
【００１９】
カード処理ユニット２３は、無線ＩＣカードＣとの無線通信を行うリーダライタとしてのＩＣ−Ｒ／Ｗ３０、センサ１０ａ、処理中を案内表示するＬＥＤ３１、ロック機構１０ｂを駆動するソレノイド３２、上記各部と制御部２５とを接続するためのインターフェース３３により構成されている。
【００２０】
表示操作処理ユニット２４は、客用操作釦（金額釦）４、取消釦５、呼出釦６、印刷釦７、人間検知器（近接センサ）１１、ブザー１３、こじ開け検知器１５、係員パネル１６、上記各部と制御部２５とを接続するためのインターフェース３３により構成されている。
【００２１】
上記制御部２５は、制御プログラムとしての汎用ＯＳ含む主制御ソフトウェアが記憶されているメモリ（図示しない）と、このメモリに記憶されている主制御ソフトウェアに基づいて作動するＣＰＵ（図示しない）により構成されている。上記制御部２５は、通信回線（図示しない）を介してセンタサーバ４１と接続され、無線ＩＣカードＣの利用履歴等の照会情報を取得したり、エラー等を送信するようになっている。
【００２２】
次に、このような構成において、図５に示すフローチャートを参照しつつ、自動積み増し機１の処理動作を説明する。
【００２３】
まず、待機状態になっている自動積み増し機１に対して（ＳＴ１）、利用客は、自分が所有している無線ＩＣカードＣへ積み増しを行う場合に、まずカードポケット１０へ無線ＩＣカードＣを差し込む（ＳＴ１０１）。
【００２４】
制御部２５は、センサ１０ａにより無線ＩＣカードＣが差し込まれたことを検知した際（ＳＴ２）、ソレノイド３２を駆動することによりロック機構１０ｂにより無線ＩＣカードＣをロックする（ＳＴ３）。これにより、無線処理中に無線ＩＣカードＣが引き抜かれないようにロックする。この結果、装置側（制御部２５）でロックを解除するまでは、無線ＩＣカードＣの引き抜きはできなくなる。
【００２５】
次に、制御部２５は、ＩＣ−Ｒ／Ｗ３０を用いて無線ＩＣカードＣの読取り処理を行い（ＳＴ４）、無線ＩＣカードＣの状態を確認するための判定処理を行う（ＳＴ５）。この判定が正常に終了できない場合、制御部２５は、エラー処理となる（ＳＴ６）。エラーの場合は、カードの確認を求めるメッセージを表示画面に出し、挿入カードの間違いがないか確認してもらう。
【００２６】
また、挿入されたカードが保守カードであった場合、制御部２５は保守業務を実施できるモードに移行する（ＳＴ７）。
【００２７】
上記ステップ５において、保守カードでなく、読取りが正常に終了した際、制御部２５は、無線ＩＣカードＣから読み取ったカードの情報を客用表示部３により表示する（ＳＴ８）。ここで利用客が、無線ＩＣカードＣの履歴印刷を希望する場合、印刷釦７を押下することにより（ＳＴ１０２）、制御部２５は印刷釦７の押下げを判断し（ＳＴ９）、履歴印刷処理に移行する（ＳＴ１０）。また、制御部２５は、紙幣投入口８への紙幣の投入が判断された際に（ＳＴ１１）、制御部２５は積み増し処理に移行する（ＳＴ１２）。また、制御部２５は取消釦５の押下げを判断するか（ＳＴ１３）、ステップ８による表示開始時から所定時間が経過し、タイマ（図示しない）のタイムアウトを判断した際に（ＳＴ１５）、取消処理に移行する（ＳＴ１４、１６）。
【００２８】
次に、上記履歴印刷処理について、図６に示すフローチャートを参照しつつ説明する。
【００２９】
すなわち、制御部２５は、紙幣投入口８からの紙幣の受付を禁止し（ＳＴ２１）、無線ＩＣカードＣの（図示しない）メモリに登録されている履歴をＩＣ−Ｒ／Ｗ３０を用いて読取り、プリンタ２２によりプリントし、レシート発行口９から発行する（ＳＴ２２）。
【００３０】
この後、制御部２５は、ソレノイド３２の駆動を遮断することによりロック機構１０ｂによる無線ＩＣカードＣのロックを解除する（ＳＴ２３）。そして、制御部２５は、この解除から所定時間内にセンサ１０ａによるカードの抜き取りが検知された際（ＳＴ２４、２６）、待機状態に戻る。
【００３１】
これにより、利用客は履歴印刷を受取り（ＳＴ１２１）、無線ＩＣカードＣを受取る（ＳＴ１２２）。
【００３２】
また、制御部２５は、上記解除から所定時間内にセンサ１０ａによるカードの抜き取りが検知されなかった際（ＳＴ２４）、カード取り忘れ処理に移行する（ＳＴ２５）。
【００３３】
次に、上記積み増し処理について、図７に示すフローチャートを参照しつつ説明する。
【００３４】
まず、利用者が紙幣投入口８より入金する（ＳＴ１３１）。これにより、紙幣投入口８からの入金金額がビルメカ２１から制御部２５に通知される（ＳＴ３１）。
【００３５】
そして、制御部２５は、入金金額に対するチャージ可能金額を判断し、客用操作釦（金額釦）４によりチャージ可能金額を表示する。この表示に基づいて、チャージ金額釦４を選択する（ＳＴ１３２）。これにより、制御部２５はＩＣ−Ｒ／Ｗ３０を用いて上記チャージ金額分更新した金額データにより無線ＩＣカードＣの積み増し金額を更新記憶する（ＳＴ３３）。
【００３６】
この際、制御部２５は釣札がある場合（ＳＴ３４）、紙幣投入口８から放出する（ＳＴ３５）。これにより、利用客は釣札を受取る（ＳＴ１３３）。
【００３７】
上記ステップ３４で釣札がなかった場合、あるいは釣札放出処理の後、制御部２５は、ソレノイド３２の駆動を遮断することによりロック機構１０ｂによる無線ＩＣカードＣのロックを解除する（ＳＴ３６）。
【００３８】
そして、制御部２５は、印刷釦７の押し下げを判断した際（ＳＴ３７）、証明書印刷処理に移行する（ＳＴ３８）。
【００３９】
そして、制御部２５は、上記解除から所定時間内にセンサ１０ａによるカードの抜き取りが検知された際（ＳＴ３９、４１）、待機状態に戻る。
【００４０】
これにより、利用客は積み増し処理としての証明書印刷を受取り、無線ＩＣカードＣを受取る（ＳＴ１３４）。
【００４１】
また、制御部２５は、上記解除から所定時間内にセンサ１０ａによるカードの抜き取りが検知されなかった際（ＳＴ３９）、カード取り忘れ処理に移行する（ＳＴ４０）。
【００４２】
次に、上記取消処理について、図８に示すフローチャートを参照しつつ説明する。
【００４３】
まず、制御部２５は、ソレノイド３２の駆動を遮断することによりロック機構１０ｂによる無線ＩＣカードＣのロックを解除する（ＳＴ５１）。
【００４４】
そして、制御部２５は、受付け紙幣のありを判断した際（ＳＴ５２）、ビルメカ（紙幣メカ）２１を制御し、払出し枚数と受付け枚数とが一致するまで紙幣を１枚ずつ紙幣投入口３より返却する（ＳＴ５３、５４）。これにより、利用客は返却紙幣を受取る（ＳＴ１５１）。
【００４５】
そして、制御部２５は、上記解除から所定時間内にセンサ１０ａによるカードの抜き取りが検知された際（ＳＴ５５、５７）、待機状態に戻る。
【００４６】
これにより、利用客は、無線ＩＣカードＣを受取る（ＳＴ１５２）。
【００４７】
また、制御部２５は、上記解除から所定時間内にセンサ１０ａによるカードの抜き取りが検知されなかった際（ＳＴ５５）、カード取り忘れ処理に移行する（ＳＴ５６）。
【００４８】
次に、上記証明書印刷処理について、図９に示すフローチャートを参照しつつ説明する。
【００４９】
まず、制御部２５は、プリンタ２２によりチャージ金額の証明書をプリントし、レシート発行口９から発行する（ＳＴ６１）。これにより、利用客は証明書を受取る（ＳＴ１６１）。
【００５０】
そして、制御部２５は、上記証明書印刷処理に移行してから所定時間内にセンサ１０ａによるカードの抜き取りが検知された際（ＳＴ６２、６４）、待機状態に戻る。
【００５１】
これにより、利用客は、無線ＩＣカードＣを受取る（ＳＴ１６２）。
【００５２】
また、制御部２５は、上記解除から所定時間内にセンサ１０ａによるカードの抜き取りが検知されなかった際（ＳＴ６２）、カード取り忘れ処理に移行する（ＳＴ６３）。
【００５３】
次に、上記カード取り忘れ処理について、図１０に示すフローチャートを参照しつつ説明する。
【００５４】
まず、制御部２５は、客用表示部３の画面表示を「発売中止」に変更し（ＳＴ７１）、ブザー１３により、警報を発生する（ＳＴ７２）。この後、制御部２５は、警報停止釦が押し下げられ（ＳＴ７３）、センサ１０ａによりカードの抜き取りが検知された際（ＳＴ７４、７５）、さらに確認釦の押し下げにより、待機状態２に移行する（ＳＴ７６）。
【００５５】
次に、上記保守カード処理について、図１１に示すフローチャートを参照しつつ説明する。
【００５６】
まず、制御部２５は、無線ＩＣカードＣから読み取った保守カードの情報としての保守業務内容を客用表示部３により表示する（ＳＴ８１）。この状態において、表示開始時から所定時間が経過し、タイマ（図示しない）のタイムアウトを判断した際に（ＳＴ８２）、取消処理に移行する（ＳＴ８３）。
【００５７】
また、ステップ８１による表示状態において、利用客により取消釦５が押下げられた際に（ＳＴ１８１）、制御部２５は取消釦５の押下げを判断し（ＳＴ８２）、ソレノイド３２の駆動を遮断することによりロック機構１０ｂによる無線ＩＣカードＣのロックを解除する（ＳＴ８４）。
【００５８】
そして、制御部２５は、上記解除から所定時間内にセンサ１０ａによるカードの抜き取りが検知された際（ＳＴ８５、８７）、待機状態に戻る。
【００５９】
これにより、保守員は、無線ＩＣカードＣ（保守カード）を受取る（カードポケット１０から抜けとる）（ＳＴ１８２）。
【００６０】
また、制御部２５は、上記解除から所定時間内にセンサ１０ａによるカードの抜き取りが検知されなかった際（ＳＴ８５）、カード取り忘れ処理に移行する（ＳＴ８６）。
【００６１】
すなわち、保守業務に入ると保守業務内容が画面に表示され、どのような保守業務ができるか確認できる。保守業務終了後は取消釦５の押下により保守処理モードを終了、保守員がカードの抜取りを行う。
【００６２】
次に、この装置に対する扉のこじ開け処理について、図１２に示すフローチャートを参照しつつ説明する。
【００６３】
すなわち、制御部２５はこじ開け検知器１５により扉１４のこじ開けが検知された際に（ＳＴ９１）、内部メモリ（図示しない）の機密データを消去する（ＳＴ９２）。つまり、機密データが盗まれないようにデータを破壊することができる。また、この際、制御部２５は係員パネル１６により装置の異常を報知するとともに、ブザー１３を鳴動する（ＳＴ９３）。
【００６４】
また、利用客が処理を希望した無線ＩＣカードＣの情報照会のために、センタサーバ４１とオンラインで接続し、情報の照会確認が実施された結果を、客用表示部３により案内表示するかあるいは、プリンタ２２から印刷を行うことができる。
【００６５】
また上記例では現金による入金処理であったが、キャッシュカード、クレジットカード等による口座からの支払い処理であっても良い。
【００６６】
上記したように、無線ＩＣカード専用の積み増し機であり、無線ＩＣカードの利用客が、自分が所有する無線ＩＣカードに金額チャージする場合に利用するものである。また、無線ＩＣカードの利用履歴を無線ＩＣカード利用客が知りたい場合に、無線ＩＣカードを本装置の所定の場所に差し込むことにより、利用履歴を印刷確認できるものである。
【００６７】
また、無線ＩＣカードに金額チャージする処理に関しては、専用の無線ＩＣカード用のポケットに利用客が所有する無線ＩＣカードを挿入することで可能である。また、無線ＩＣカードの利用履歴を無線ＩＣカード利用客が知りたい場合に、積み増し操作と同様に、専用の無線ＩＣカード用ポケットに利用客が所有する無線ＩＣカードを挿入することにより、無線ＩＣカード内にある履歴を無線処理により読取り、その結果をジャーナル用紙に印刷することにより、利用履歴を印刷確認できるものである。
【００６８】
また、お札を所定の挿入口へ挿入することにより、積み増し金額選択釦が、選択できる範囲で点灯する。この点灯した積み増し金額釦を押下することにより、利用客は、無線ＩＣカードへの積み増し金額を選択することができる。積み増し金額押下後に無線処理による積み増しが完了すると、必要に応じてつり札を放出する。専用の無線ＩＣカード用のポケットに利用客が挿入した無線ＩＣカードは、利用客に返却される。また、無線ＩＣカードの利用履歴を無線ＩＣカード利用客が知りたい場合に、積み増し操作と同様に、専用の無線ＩＣカード用のポケットに利用客が所有する無線ＩＣカードを挿入することにより、無線ＩＣカード内にある履歴を無線処理により読取り、その結果をジャーナル用紙に印刷することにより、利用履歴を印刷確認できる。これにより、従来の磁気カードのように、カード自身への利用履歴印刷ができないことを補うことができる。無線ＩＣカード情報の確認は、センタサーバと行うことができ、無線ＩＣカード自身が持っている情報にプラスしてさかのぼった履歴情報を入手することが可能である。また筐体裏扉のこじ開けを行うと警報が鳴動し、機密情報データを自動的に破壊するため、セキュリティー向上につながる。
【００６９】
これにより、次の問題点が改善された。
【００７０】
１．無線ＩＣカードへの積み増しと利用履歴印刷ができることにより、無線ＩＣカードの利用客が複数の装置を利用しなければいけないという不便さを解消できる。
【００７１】
２．無線ＩＣカードへの積み増しと利用履歴印刷ができることにより、無線ＩＣカードの利用客が複数の装置を利用しなくて済み、そのため機器の操作に関して、いくつもの機器の使い方を覚える必要が無い。
【００７２】
３．無線ＩＣカードへの積み増し処理を行う場合、無線ＩＣカード残額の確認及び積み増し金額を表示画面で確認しながら行うことができるため、現在の無線ＩＣカードの状態を把握しながら操作することができる。
【００７３】
４．無線ＩＣカードの積み増し専用機に機能限定することにより、低コストでの装置実現となっており、今後展開が予想される地方駅への設置に対して、優位性がある。
【００７４】
５．オンラインによるセンタサーバとの接続により、無線ＩＣカード自身に持っている利用履歴情報にプラスして、利用履歴が印刷により確認することができる。
【００７５】
６．スタンドアロンタイプの場合、セキュリティー問題が発生するが、筐体扉のこじ開けをすると、警報ブザーが鳴動するのと共に、機密データを破壊するため、セキュリティーが向上する。
【図面の簡単な説明】
【００７６】
【図１】この発明の一実施形態を説明するための自動積み増し機の概略構成を示す外観図。
【図２】自動積み増し機の概略構成を示す外観図。
【図３】自動積み増し機の概略構成を示す外観図。
【図４】自動積み増し機の内部構成を示すブロック図。
【図５】自動積み増し機の処理動作を説明するためのフローチャート。
【図６】履歴印刷処理を説明するためのフローチャート。
【図７】積み増し処理を説明するためのフローチャート。
【図８】取消処理を説明するためのフローチャート。
【図９】証明書印刷処理を説明するためのフローチャート。
【図１０】カード取り忘れ処理を説明するためのフローチャート。
【図１１】保守カード処理を説明するためのフローチャート。
【図１２】扉のこじ開け処理を説明するためのフローチャート。
【符号の説明】
【００７７】
Ｃ…無線ＩＣカード  １…機  ２…筐体  ２ａ…接客面  ２ｂ…係員面  ３…客用表示部  ４…客用操作釦（金額釦）  ５…取消釦  ６…呼出釦  ７…印刷釦  ８…紙幣投入口  ９…レシート発行口  １０…カードポケット  １０ａ…センサ  １０ｂ…ロック機構  １１…人間検知器  １２…ブザー孔  １３…ブザー  １４…扉  １５…検知器  １６…係員パネル  ２１…ビルメカ  ２２…プリンタ  ２３…カード処理ユニット  ２４…表示操作処理ユニット  ２５…制御部  ２６…電源部  ３１…ＬＥＤ  ３２…ソレノイド  ３３…インターフェース  ４１…センタサーバ。
【図１】
2006099458.tif 000003
【図２】
2006099458.tif 000004
【図３】
2006099458.tif 000005
【図４】
2006099458.tif 000006
【図５】
2006099458.tif 000007
【図６】
2006099458.tif 000008
【図７】
2006099458.tif 000009
【図８】
2006099458.tif 000010
【図９】
2006099458.tif 000011
【図１０】
2006099458.tif 000012
【図１１】
2006099458.tif 000013
【図１２】
2006099458.tif 000014